(57)【要約】【課題】個々の表示装置でのガンマ補正を簡易且つ迅速により精度良く行なうことができる補正方法、該補正方法を実施する表示装置及びコンピュータプログラムを提供する。【解決手段】表示部へ画像信号を入力する前段のＬＵＴで、画像信号に含まれる階調値を補正するに際し、階調特性を表わす入力階調値に対するガンマ値分布における非線形部を、基準とする表示装置の表示部の階調特性を所定のガンマ値（例えばγ＝２．２）の一定値とする第１補正値によって補正する。補正後のガンマ値分布の特性を表わす関数を特定するための最低限の入力階調値に対するガンマ値の測定又は算出を行ない、測定又は算出されたガンマ値により関数を特定し、ガンマ値が一定となるように補正する第２補正値を算出する。ＬＵＴは算出された第２補正値を用いて入力される画像信号の階調値を補正する。【選択図】図７
2009145780.tif 000002
【特許請求の範囲】
【請求項１】
画像を表示する表示手段へ画像信号を入力するに際し、記憶してある補正量を用いて前記表示手段へ入力する画像信号が含む一又は複数の色成分毎の強度を補正する補正方法において、
任意の表示手段の階調特性が所定の階調特性を示すように、入力する画像信号に含まれる色成分毎の強度を補正する第１補正量を記憶しておき、
前記第１補正量を用いて補正した強度を含む画像信号を前記表示手段へ入力した場合に、前記表示手段により表示される表示画像における出力強度の入力強度に対する関係を特定し、
特定した関係に基づき、前記表示手段へ入力する画像信号に含まれる色成分毎の強度を補正する第２補正量を算出し、
算出した第２補正量を記憶しておき、
前記表示手段へ画像信号を入力する場合、入力する画像信号に含まれる色成分毎の強度を前記第２補正量を用いて補正する
ことを特徴とする補正方法。
【請求項２】
前記任意の表示手段は、
複数の表示手段の内から、中央値である階調特性を有した表示手段が抽出される
ことを特徴とする請求項１に記載の補正方法。
【請求項３】
前記任意の表示手段の階調特性を測定し、
測定された階調特性と前記所定の階調特性との比較に基づき、前記第１補正量を算出する
ことを特徴とする請求項１又は２に記載の補正方法。
【請求項４】
前記関係は、前記入力強度を底とする出力強度の対数が前記入力強度を変数とする線形関数で表わされ、
少なくとも二つの異なる入力強度を含む画像信号を入力した場合に前記表示手段により表示される表示画像における出力強度を取得し、
前記二つの異なる入力強度及び取得した出力強度から前記線形関数を特定し、
特定した線形関数から前記第２補正量を算出する
ことを特徴とする請求項１乃至３のいずれかに記載の補正方法。
【請求項５】
画像を表示する表示手段と、記憶してある補正量を用いて前記表示手段へ入力する画像信号が含む一又は複数の色成分毎の強度を補正する補正手段とを備える表示装置において、
任意の表示手段の階調特性が所定の階調特性を示すように、入力する画像信号に含まれる色成分毎の強度を補正する第１補正量を用いて補正した強度を含む画像信号を自身の表示手段へ入力した場合の、前記表示手段により表示される表示画像における出力強度の入力強度に対する関係に基づき、前記表示手段へ入力する画像信号に含まれる色成分毎の強度を補正する第２補正量を算出する手段と、
前記第２補正量を記憶する手段と
を備え、
前記補正手段は、自身の表示手段へ画像信号を入力する場合、入力する画像信号に含まれる色成分毎の強度を前記第２補正量を用いて補正するようにしてあること
を特徴とする表示装置。
【請求項６】
画像を表示する表示手段へ画像信号を入力する手段を備えるコンピュータに、記憶してある補正量を用いて前記表示手段へ入力する画像信号が含む一又は複数の色成分毎の強度を補正するステップを実行させるコンピュータプログラムにおいて、
コンピュータに、
任意の表示手段の階調特性が所定の階調特性を示すように、入力する画像信号に含まれる色成分毎の強度を補正するために記憶されてある第１補正量を用いて強度を補正するステップ、
補正した強度を含む画像信号を前記表示手段へ入力するステップ、
前記表示手段へ入力した場合に前記表示手段により表示される表示画像における出力強度の入力強度に対する関係を特定するステップ、
特定した関係に基づき、前記表示手段に入力する画像信号に含まれる色成分毎の強度を補正する第２補正量を算出するステップ、及び、
前記表示手段へ画像信号を入力する場合、入力する画像信号に含まれる色成分毎の強度を前記第１補正量及び第２補正量を用いて補正するステップ
を実行させることを特徴とするコンピュータプログラム。
【発明の詳細な説明】
【技術分野】
【０００１】
本発明は、表示装置個々の階調特性に応じて強度を補正する補正方法に関し、特に、表示装置夫々での補正を簡易且つ迅速により精度良く行なうことができる補正方法、該補正方法を実施する表示装置及びコンピュータを前記表示装置として機能させるコンピュータプログラムに関する。
【背景技術】
【０００２】
ＬＣＤ（Liquid Crystal Display）モニタ、ＰＤＰ（Plasma Display Panel）モニタ、有機ＥＬ（Electro Luminescence）モニタ、ＣＲＴ（Cathode Ray Tube）モニタ、電子ペーパ等の表示装置は、ＬＣＤモニタであれば個々の製品の液晶パネルの特性、ＰＤＰモニタであれば素子毎の発光特性、及び各パネルに印加する電圧を発生させる回路の特性等、種々の部品の特性を有する。部品の特性に起因して、表示装置に入力される画像信号が含む各色成分の強度の滑らかな変化に対し、実際に表示される画像での輝度の変化は滑らかでない場合がある。
【０００３】
入力される画像信号に含まれる色成分毎の強度に対する輝度の特性は階調特性（又はガンマ特性）と呼ばれる。そして、入力する画像信号に含まれる強度を滑らかに変化させた場合に、表示画像で滑らかな階調表現を実現するように入力強度と輝度との対応を補正することを、強度の変化に対する輝度の変化がガンマ曲線を描くように補正することからガンマ補正と呼び、ガンマ補正には種々の方法が提案されている。
【０００４】
特許文献１には、入力される画像信号に含まれる色成分毎の強度に対応する電圧値を記憶する記憶手段を備え、当該電圧値は外部からの調整が可能な構成とすることにより、液晶パネルにおける階調特性に応じて電圧値を調整することが可能なガンマ補正技術が開示されている。
【０００５】
特許文献２には、入力される画像信号が表わす色成分毎の強度を液晶パネル又はＰＤＰの各素子へ印加するアナログの電圧値へ変換するＤ／Ａ変換器に関し、Ｄ／Ａ変換器に含まれる分圧のためのラダー抵抗の抵抗値を可変にして調整可能とすることにより、個々のパネルの特性に応じて印加する電圧値を調整させることが可能なガンマ補正技術が開示されている。
【０００６】
特許文献３には、液晶パネルにおける階調特性の差異に起因する部品のデータ、例えば使用される液晶パネルにおけるセルギャップ、トランジスタのＩ／Ｖ特性に対応する補正量を用いて補正するガンマ補正技術が開示されている。
【特許文献１】特開２００５−０４９４１８号公報
【特許文献２】特開２００７−２４１２３５号公報
【特許文献３】特開２００６−２２７４５３号公報
【発明の開示】
【発明が解決しようとする課題】
【０００７】
特許文献１及び２に開示されている技術により、表示装置個々の特性に応じたガンマ補正が可能である。しかしながら、各表示装置に対して補正を行なうに際し、各構成部の詳細な測定、夫々の回路に含まれる抵抗値を変化させる調整等には時間を要する。製造過程における生産量の確保及びコストを鑑みた場合、表示装置夫々に実施する調整に要する時間は削減されることが望ましい。
【０００８】
特許文献３に開示されている技術では、製造時に階調特性の実測に基づく調整を行なうことなしに、予め測定しておいた個々の液晶パネルの特性に応じて定められた補正量で全体を補正することにより製造時間を削減することができる。しかしながら、高精度のガンマ補正が求められる場合、特定の構成要素の特性に応じて定められた補正量で、各強度を一様に補正する構成では、多様な要素を起因とする個々の階調特性を高精度には補正できない可能性がある。
【０００９】
また、基準となる表示装置で実測した階調特性に基づくガンマ補正のための補正量を他の装置でも一律に適用して補正を行なうことにより迅速に補正することもできるが、この場合、表示装置個々で異なる特性を高精度には補正できない可能性がある。
【００１０】
本発明は斯かる事情に鑑みてなされたものであり、個々の表示装置における階調特性を、個々の表示装置で共通する要素を起因とする特性、及び、個々の表示装置で異なる要素を起因とする特性を区別して注目し、夫々の特性に応じて二段階に分けて補正する構成とすることにより、表示装置個々の特性に応じたガンマ補正を簡易な構成で、より精度良く且つ迅速に行なうことができる補正方法、該補正方法を実施する表示装置及びコンピュータプログラムを提供することを目的とする。
【００１１】
本発明の他の目的は、基準となる表示装置として、複数の表示装置の内の中央値である階調特性を有する表示装置を抽出する構成とすることにより、補正の精度を高めて表示装置個々の特性に応じたガンマ補正を簡易な構成で行なうことができる補正方法を提供することにある。
【００１２】
本発明の他の目的は、基準となる表示装置における特性に応じた補正量を算出するに際し、実測に基づいて補正量を算出する構成とすることにより、補正の精度を高めて表示装置個々の特性に応じたガンマ補正を簡易な構成で行なうことができる補正方法を提供することにある。
【００１３】
本発明の他の目的は、個々の表示装置で共通する要素を起因とする特性に応じて補正した後の個々の表示装置で異なる要素を起因とする特性は、一次関数等の線形関数で表わされる関係であることを利用し、少なくとも二つの強度を測定することにより補正が可能な構成とすることにより、表示装置個々の特性に応じたガンマ補正を簡易な構成でより精度良く且つ迅速に行なうことができる補正方法を提供することにある。
【課題を解決するための手段】
【００１４】
第１発明に係る補正方法は、画像を表示する表示手段へ画像信号を入力するに際し、記憶してある補正量を用いて前記表示手段へ入力する画像信号が含む一又は複数の色成分毎の強度を補正する補正方法において、任意の表示手段の階調特性が所定の階調特性を示すように、入力する画像信号に含まれる色成分毎の強度を補正する第１補正量を記憶しておき、前記第１補正量を用いて補正した強度を含む画像信号を前記表示手段へ入力した場合に、前記表示手段により表示される表示画像における出力強度の入力強度に対する関係を特定し、特定した関係に基づき、前記表示手段へ入力する画像信号に含まれる色成分毎の強度を補正する第２補正量を算出し、算出した第２補正量を記憶しておき、前記表示手段へ画像信号を入力する場合、入力する画像信号に含まれる色成分毎の強度を前記第２補正量を用いて補正することを特徴とする。
【００１５】
第２発明に係る補正方法は、前記任意の表示手段は、複数の表示手段の内から、中央値である階調特性を有した表示手段が抽出されることを特徴とする。
【００１６】
第３発明に係る補正方法は、前記任意の表示手段の階調特性を測定し、測定された階調特性と前記所定の階調特性との比較に基づき、前記第１補正量を算出することを特徴とする。
【００１７】
第４発明に係る補正方法は、前記関係は、前記入力強度を底とする出力強度の対数が前記入力強度を変数とする線形関数で表わされ、少なくとも二つの異なる入力強度を含む画像信号を入力した場合に前記表示手段により表示される表示画像における出力強度を取得し、前記二つの異なる入力強度及び取得した出力強度から前記線形関数を特定し、特定した線形関数から前記第２補正量を算出することを特徴とする。
【００１８】
第５発明に係る表示装置は、画像を表示する表示手段と、記憶してある補正量を用いて前記表示手段へ入力する画像信号が含む一又は複数の色成分毎の強度を補正する補正手段とを備える表示装置において、任意の表示手段の階調特性が所定の階調特性を示すように、入力する画像信号に含まれる色成分毎の強度を補正する第１補正量を用いて補正した強度を含む画像信号を自身の表示手段へ入力した場合の、前記表示手段により表示される表示画像における出力強度の入力強度に対する関係に基づき、前記表示手段へ入力する画像信号に含まれる色成分毎の強度を補正する第２補正量を算出する手段と、前記第２補正量を記憶する手段とを備え、前記補正手段は、自身の表示手段へ画像信号を入力する場合、入力する画像信号に含まれる色成分毎の強度を前記第２補正量を用いて補正するようにしてあることを特徴とする。
【００１９】
第６発明に係るコンピュータプログラムは、画像を表示する表示手段へ画像信号を入力する手段を備えるコンピュータに、記憶してある補正量を用いて前記表示手段へ入力する画像信号が含む一又は複数の色成分毎の強度を補正するステップを実行させるコンピュータプログラムにおいて、コンピュータに、任意の表示手段の階調特性が所定の階調特性を示すように、入力する画像信号に含まれる色成分毎の強度を補正するために記憶されてある第１補正量を用いて強度を補正するステップ、補正した強度を含む画像信号を前記表示手段へ入力するステップ、前記表示手段へ入力した場合に前記表示手段により表示される表示画像における出力強度の入力強度に対する関係を特定するステップ、特定した関係に基づき、前記表示手段に入力する画像信号に含まれる色成分毎の強度を補正する第２補正量を算出するステップ、及び、前記表示手段へ画像信号を入力する場合、入力する画像信号に含まれる色成分毎の強度を前記第１補正量及び第２補正量を用いて補正するステップを実行させることを特徴とする。
【００２０】
本発明では、第１段階として任意の表示手段の階調特性が所定の階調特性を示すように補正する第１補正量を用いて補正が行なわれる。これにより、各表示手段で共通する起因による階調特性を吸収するように補正される。そして第２段階の補正では、第１段階の補正後に残る、個々の表示手段で異なる要素を起因とした階調特性を吸収する補正がされる。第１段階の補正後に残る階調特性は、各表示手段で夫々入力される画像信号に含まれる強度の変化に対して特定可能な関数で表わされる。そこで、複数の入力強度に対する表示画像での出力強度を測定、シミュレーション等により取得して関係を特定することにより、その関係を利用して第２補正量が算出される。そして第２補正量により、各表示手段で異なる起因による特性を吸収するように補正される。
【００２１】
本発明では、第１補正量を算出するために基準となる任意の表示手段は、補正が行なわれる表示装置ではない他の表示装置が備える表示手段でもよいし、補正が行なわれる表示装置自身が備える表示手段でもよい。更に、複数の表示手段における平均値、中央値等を利用した標準的な階調特性を有する仮想的な表示手段を、基準となる表示手段としてもよい。また、基準となる表示手段の階調特性は、空間的なムラを考慮して表示手段で表示される画像中の中央部分等の一部の領域における階調特性でもよい。なお、中央値となる階調特性を有する表示装置を基準の表示手段とすることにより、第１段階で補正される量をより少なくし、個々の表示装置の特性のバラツキによる補正の誤差を小さくすることが期待される。
【００２２】
本発明では、第１補正量は、基準となる他の表示手段又は自身の表示手段における階調特性が測定され、実測された階調特性と所定の階調特性との比較に基づいて算出される。
【００２３】
また、本発明では基準となる任意の表示手段の階調特性が所定の階調特性を示すように補正する第１補正量を用いて各強度を補正した場合、階調特性は入力強度に対して関数で表わされる。当該関数は、入力強度を底とする表示画像における出力強度の対数が、入力強度を変数とする線形関数で表わされ、少なくとも二つの異なる強度を第１補正量を用いて補正して入力した場合の表示画像における出力強度から前記線形関数が特定可能である。そして、特定された線形関数から第２補正量が算出される。
【発明の効果】
【００２４】
本発明による場合、第１段階の補正では基準となる表示手段の階調特性を所定の階調特性とする第１補正量を各表示手段に対しても適用することにより、表示手段夫々での詳細な測定、算出が不要である。そして、第２段階の補正では、各表示手段における基準とした表示手段と異なる要素を起因とする階調特性を補正するが、この場合、第１段階の補正後の階調特性は入力強度の変化に対して特定可能な関係を有する。そこで、その関係を特定することが可能な最低限の測定をすることによって第２補正量が算出可能である。したがって、実測の回数および調整に要する時間を減少させつつも個々で異なる特性を吸収する補正が可能であり、表示装置個々の特性に応じたガンマ補正を簡易な構成で、より精度よく且つ迅速に行なうことができる。
【００２５】
本発明による場合、基準となる表示手段の階調特性を、複数の表示手段の階調特性の中央値とすることにより、第１段階の補正での誤差をより小さくして表示装置個々の特性に応じたガンマ補正を簡易な構成で、より精度よく行なうことができる。
【００２６】
本発明による場合、基準となる表示手段の階調特性が測定され、所定の階調特性と比較し、第１補正量が算出される。表示手段を構成する回路、素子、パネル等の要素夫々の特性を総合した結果としての階調特性を実測するので、夫々の特性を総合的に補正する第１補正量を算出することが可能となる。これにより、実際の階調特性と所定の理想的な階調特性との比較から、精度よく補正を行なうことができる。
【００２７】
本発明による場合、第１補正量を用いた第１段階の補正後に残る階調特性を、入力強度を底とする表示画像における出力強度の対数が補正前の強度を変数とする線形関数で表わされる関係で特定する。したがって、少なくとも二つの入力強度を第１補正量を用いて補正して表示手段へ入力した場合の表示画像における出力強度を測定することにより、前記線形関数を特定することが可能である。これにより、第１段階では予め算出された第１補正量を用い、第２段階でも少なくとも二つの強度を含む画像信号を入力した場合の出力強度の測定によって第２補正量を算出すればよく、表示装置個々の特性に応じたガンマ補正を簡易な構成で、より精度良く且つ迅速に行なうことができる。
【発明を実施するための最良の形態】
【００２８】
以下、本発明をその実施の形態を示す図面に基づいて具体的に説明する。
【００２９】
図１は、本発明に係る表示装置の構成を示すブロック図である。表示装置１は、後述する画像信号出力装置２からの画像信号の入力を受け付けるインタフェースである入力部１１と、入力される画像信号が含む色成分毎の強度を示す階調値を適宜変換する変換部１２と、輝度ムラ及び色ムラを補正するムラ補正部１３と、表示部１６の階調特性を吸収するガンマ補正を行なうＬＵＴ（Look Up Table）１４と、補正後の階調値を表示部１６へ出力する出力部１５と、ＬＣＤパネル、ＰＤＰ等のパネル及びパネルを駆動する駆動回路を含む表示部１６とを備えている。変換部１２、ムラ補正部１３、ＬＵＴ１４及び出力部１５はＡＳＩＣ（Application Specific Integrated Circuit：特定用途集積回路）で構成される。なお、変換部１２、ムラ補正部１３、ＬＵＴ１４及び出力部１５は夫々ＡＳＩＣに限定されるものではなく、ＦＰＧＡ（Field Programmable Gate Array）で構成されてもよく、個々の回路で構成するようにしてもよい。
【００３０】
画像信号出力装置２は、ＰＣ（Personal Computer）、テレビ用チューナー、ＤＶＤ（Digital Versatile Disc）プレーヤー、ゲーム機等の画像信号を出力する装置である。
【００３１】
表示装置１は、画像信号出力装置２から出力される画像信号を入力部１１により受け付け、画像信号に含まれる各画素の各色成分、又は輝度及び色差の強度を表わす階調値に基づき、表示部１６に対応する画像信号を出力部１５により出力し、表示部１６に画像を表示させる。
【００３２】
変換部１２は、表示部１６に表示させる画像を構成する各画素の色成分をＲ（Red：赤成分）Ｇ（Green：緑成分）Ｂ（Blue：青成分）で表わし、且つそのＲＧＢ夫々の色成分の強度を示す階調値を８ビット、即ち０から２５５までの２５６段階で表わした２４ビットのＲＧＢ信号の入力を受け付ける。したがって、入力部１１は、入力部１１で受け付ける画像信号の種類によってはアナログ／デジタル変換の機能、ＲＧＢ信号へ変換する機能等を有していてもよい。なお、変換部１２が受け付ける画像信号は上述のような２４ビットのＲＧＢ信号とは限らず、他の色成分を含む信号でもよく、更に、変換処理によっては例えば各色成分を１０ビット、１４ビット等で表わした画像信号でもよい。
【００３３】
変換部１２は、入力部１１を介して入力された色成分毎の階調値を適宜変換して出力する。変換部１２には変換のための係数、例えば色空間の設定に応じたカラーマトリックス、又は色温度の設定に応じて強度比率を変換するための係数が記憶されている。変換部１２は、入力された各色成分の階調値を係数を用いて変換し、出力する。
【００３４】
ＬＵＴ１４は、後段の表示部１６で滑らかな階調表示を実現するため、表示部１６における入力階調値と出力輝度との対応を示す階調特性を吸収するように、ムラ補正部１３から出力される色成分毎の階調値に対してガンマ補正を行ない、補正後の画像信号を出力部１５を介して表示部１６に入力する。
【００３５】
図２は、ガンマ補正の概要を示す説明図である。図２（ａ）は表示部１６の階調特性の例を示し、図２（ｂ）は理想的な階調特性を示している。図２（ｂ）に示す理想的な階調特性の場合、入力される階調値ｘに対して表示される画像の輝度ｙがｘのγ乗（ｙ＝ｘγ）の関係（ガンマ曲線）となるように出力される。ここで言うγはガンマ値と呼ばれ、ガンマ値γは入力される階調値ｘの最小階調値から最大階調値までをゼロから１までの間の数値に正規化した階調比の対数により、最小階調値に対応する輝度から最大階調値に対応する輝度までをゼロから１までの間の数値に正規化した輝度比の対数を除したものである（式１）。なおガンマ値γは、γ＝２．２又はγ＝１．８が一般的に良好とされている。
【００３６】
γ＝ｌｏｇ（輝度比）／ｌｏｇ（階調比）・・・（１）
【００３７】
ＬＵＴ１４は、ムラ補正部１３から出力される色成分毎の階調値を、全階調値に亘りガンマ値γ＝２．２又はγ＝１．８となるように補正して出力する。図２（ｃ）は、ＬＵＴ１４によって階調値が補正される例を示している。図２（ｃ）の横軸は、ＬＵＴ１４の前段のムラ補正部１３から入力される階調値であり、図２（ｃ）の縦軸は、ＬＵＴ１４での階調値の補正によって出力される階調値である。図２（ｃ）に示すようにＬＵＴ１４では、入力される階調値毎に出力される階調値が対応付けられている。具体的には、ＬＵＴ１４を構成するメモリに、補正後の階調値が入力階調値毎に書き換え可能に記憶されており、ＬＵＴ１４は入力される階調値に対応する補正後の階調値を出力するように構成されている。ＬＵＴ１４で階調値を補正した後の階調値が、図２（ａ）の階調特性を有する表示部１６へ出力部１５を介して入力されることにより、ムラ補正部１３から出力される各色成分の階調値に対し、表示部１６で表示される画像の輝度が図２（ｂ）に示した階調特性となる。
【００３８】
なお、ＬＵＴ１４に記憶されるデータの格納数は有限であり、例えば色成分毎に階調値を８ビット即ち２５６階調で表わす場合、入力階調値と出力階調値との対応は２５６個である。したがって、図２（ｃ）に示す曲線は実際には離散的なグラフ（散布図）となるが、便宜上曲線とみなして表わしている。本実施の形態では以降、階調特性、階調値に対するガンマ値の分布についても曲線として扱うが、実際には同様に離散的なグラフである。
【００３９】
ＬＵＴ１４で記憶されている補正後の階調値を求めるために用いられる補正値は、表示部１６毎にその階調特性が異なることから、個々の表示装置１で異なる。個々の表示装置１の表示部１６毎に階調特性、即ち各階調値毎の出力輝度を測定する処理、及び、表示部１６の階調特性を吸収して図２（ｂ）に示したような階調特性となるように補正するための補正値を個々の表示装置１について全階調値に対し算出し、当該補正値から補正後の階調値を算出して記憶する処理には長時間を要する。
【００４０】
図３は、個々の表示装置１が備える表示部１６によって異なる階調特性の例を示すグラフ図である。図３のグラフ図の横軸は、表示部１６に入力される階調値を示し、縦軸は入力される階調値に対し当該階調値を底とする表示部１６で表示される画像の輝度の対数、即ちガンマ値γを示す。図３のグラフ図には、三台の表示装置１夫々の表示部１６の階調特性を表わす曲線Ａ、Ｂ、Ｃが示されている。理想的な階調特性では図３中の破線で示すように、全入力階調値に亘りガンマ値γがγ＝２．２、γ＝１．８等の一定値となる。しかしながら、図３のグラフ図中の曲線Ａ、Ｂ、Ｃに表わされるように、表示部１６の駆動回路における構成素子の特性、表示部１６に利用されるパネルの特性等種々の起因により、入力階調値に対するガンマ値γは一定値とならない。
【００４１】
図３のグラフ図を参照した場合、曲線Ａ、Ｂ、Ｃは非線形部と線形部との合成曲線であると見ることができる。図３のグラフ図中の曲線Ａ、Ｂ、Ｃ夫々における低階調値側及び高階調値側に見られる非周期的な曲線部分、即ち非線形部は表示部１６内の回路特性に起因し、線形部は表示部１６が液晶パネルを利用している場合には液晶層を挟む電極間のギャップのバラツキに起因するものであると推定される。これは、例えば曲線Ａ、Ｂ、Ｃの内の一の曲線Ｂの階調特性を有する表示部１６へ入力する階調値を、曲線Ｂが線形となるように補正する補正値を算出し、当該補正値を用いて階調値を補正した画像信号を他の曲線Ａ、Ｃに対応する表示部１６へ入力した場合に、階調値に対するガンマ値の分布がほぼ線形、即ち曲線Ｂ、Ｃがほぼ線形となることからも推定可能である。
【００４２】
表示部１６に含まれる駆動回路が同一構成の回路であれば、回路を構成する素子による特性はほぼ同様である。回路のメカニズムを起因とする特性は同一構成の回路を使用している各表示装置１の表示部１６で同様となる。したがって、回路特性を起因とする特性を吸収する補正を行なった場合、階調値に対するガンマ値の分布は、ほぼ線形となる。これに対し、同種、同じ大きさの液晶パネルでも電極間ギャップはバラつく。当該電極間ギャップのバラつきは、階調値に対するガンマ値の分布の傾きのバラつきの起因である。
【００４３】
図４は、表示部１６の駆動回路を構成するデジタル／アナログ（Ｄ／Ａ）変換器に入力される階調値と出力される電圧値との対応例を示す説明図である。なお、図４の説明図に示す表示部１６の例では、階調値は６４ビットで表わされている。
【００４４】
液晶パネルを使用する場合に液晶パネルの各素子の電極に印加する電圧は、Ｄ／Ａ変換器で複数の基準電圧Ｖ１、Ｖ２、Ｖ３、Ｖ４、…を発生させ、これをラダー抵抗で分圧することによって作成する。そして表示部１６では、入力される階調値に対応して作成された電圧が選択され、各画素に対応する素子へ出力される。図４の説明図に示すように、電圧を作成するに際し使用する基準電圧（Ｖ２、Ｖ３、Ｖ４）が切り替わる点が存在する。この切り替わり点によって、入力される階調値と出力される電圧値との間の関係に非線形性が生じる。
【００４５】
図５は、Ｄ／Ａ変換器に入力される階調値と出力される電圧値との対応関係の例を示したグラフ図である。図５のグラフ図の横軸は入力される階調値を示し、縦軸は夫々の階調値に対して作成される電圧値を示している。
【００４６】
図５のグラフ図に示すように、入力される階調値に対応して液晶パネルの電極に印加される電圧値は、階調値に対して複数の滑らかでない尖った部分、即ち傾きが急に変化する点（尖点）を有する曲線となる。図５中の破線で表わした丸印は尖点を示している。これらの尖点は、図４の説明図における基準電圧（Ｖ２、Ｖ３、Ｖ４）の切り替わり点に対応する。図３のグラフ図に示した曲線Ａ、Ｂ、Ｃの非線形部は、図５のグラフ図に示した入力されるデジタル信号の階調値と基準電圧との関係を示す曲線の尖点近傍の歪みを起因とすることが解析により判る。
【００４７】
そこで、本実施の形態におけるＬＵＴ１４は、図３のグラフ図に示した入力階調値に対するガンマ値の分布の内の非線形部に対応する部分を、基準となる一の表示装置１の表示部１６の階調特性を全階調値に亘りガンマ値がγ＝２．２とするための第１補正値を利用して補正する。そしてＬＵＴ１４は更に、線形部に対応する部分を個々の表示部１６における階調特性を、全階調値に亘りガンマ値がγ＝２．２へ近づくように補正するための第２補正値を算出し、これを用いて入力される画像信号が含む階調値を補正するように構成される。
【００４８】
まず、非線形部に対応する部分を補正するための第１補正値の算出について説明する。基準となる階調特性は例えば、任意の表示装置１を抽出し、当該表示装置１が備える表示部１６の階調特性を測定したものでもよい。予め複数台の表示装置１を抽出し、夫々の表示部１６の階調特性を測定し、測定した階調特性から中央値となる階調特性を基準としてもよい。また、数台の表示装置１で測定した階調特性の平均を算出し、当該平均を基準となる階調特性としてもよい。なお、実測によって基準となる階調特性を得るのみならず、各表示装置１が備える表示部１６を構成する駆動回路の構成要素から計算式、又はシミュレーションにより階調特性を算出し、当該階調特性を基準としてもよい。
【００４９】
本実施の形態では、三台の表示装置１夫々の表示部１６の階調特性を測定し、中央値となる階調特性を有する表示装置１を抽出し、抽出された表示装置の表示部１６の階調特性を基準として設定する。図３のグラフ図に示した例では、曲線Ｂが表わす階調特性が中央値であり、基準として設定される。
【００５０】
図６は、基準の階調特性が補正される例を示すグラフ図である。図６のグラフ図の横軸は表示部１６に入力される階調値を示し、縦軸は入力される階調値に対するガンマ値γを示す。図６中の破線は、基準として設定された表示装置１の表示部１６固有の階調特性を示し、図３中の曲線Ｂと等しい。図６中の実線は基準の階調特性が第１補正値によって補正された後の階調特性を示す。また、図６中の一点鎖線はガンマ値γ＝２．２の直線を示す。
【００５１】
まず、基準として設定された階調特性が全階調に亘ってγ＝２．２となるように、入力される階調値毎に第１補正値を予め算出しておく。具体的には、第１補正値＝γtarget／γref x、γtarget＝目標ガンマ値（例えば２．２）、γref x＝基準の階調特性における入力階調値ｘでのガンマ値である。例えば、基準の階調特性において一の入力階調値ｘ１に対するガンマ値がγref x1＝２．３である場合、入力階調値ｘ１に対する第１補正値は、（２．２／２．３）と算出される。また、基準の階調特性における他の入力階調値ｘ２に対するガンマ値がγref x2＝２．５である場合、入力階調値ｘ２に対する第１補正値は、（２．２／２．５）と算出される。ＬＵＴ１４には、次の式２中の階調値ｘと、第１補正値を用いた補正後の階調値ｘ´とが対応付けて記憶される。ＬＵＴ１４は、入力される画像信号が含む階調値ｘに対応付けて記憶されている補正後の階調値ｘ´を出力する。
【００５２】
補正後の階調値ｘ´＝ｘα、α（第１補正値）＝γtarget／γref x・・・（２）
【００５３】
これにより、基準の階調特性では全階調に亘ってガンマ値γが目標ガンマ値γ＝２．２となる。例えば、ＬＵＴ１４は表示部１６へ画像信号を入力するに際し、ムラ補正部１３からＬＵＴ１４へ入力される画像信号が含む階調値がｘ１である場合、ＬＵＴ１４には階調値ｘ１に対応付けて、第１補正値α＝（２．２／２．３）を用いて補正がされたｘ１´＝ｘ１（2.2／2.3）が記憶されているので、当該ｘ１´を出力する。同様にＬＵＴ１４は、ムラ補正部１３からＬＵＴ１４へ入力される画像信号が含む階調値がｘ２である場合、階調値ｘ２に対応付けて記憶されているｘ２´＝ｘ２（2.2／2.5）を出力する。
【００５４】
上述に示したＬＵＴ１４における第１補正値αを用いた補正により、図６の破線で表わした表示部１６の階調特性は、ＬＵＴ１４に入力される画像信号に含まれる階調値に対し、図６中の実線で表わすようにγ＝２．２のほぼ線形の関数となる。
【００５５】
次に、基準の階調特性が全階調に亘ってγ＝２．２となるような第１補正値αを用い、個々に異なる階調特性を有する表示装置１の表示部１６の前段のＬＵＴ１４で補正を行なった場合について説明する。
【００５６】
図７は、ＬＵＴにより補正を行なった場合の個々の表示装置１の表示部１６における階調特性の例を示すグラフ図である。図７（ａ）は、ＬＵＴ１４が基準の階調特性により算出される第１補正値αを用いて補正を行なった場合の階調特性の例を示すグラフ図である。図７（ａ）のグラフ図の横軸はＬＵＴ１４に入力される階調値を示し、縦軸は入力される階調値に対するガンマ値を示す。横軸の階調値は、式２による補正前の階調値ｘである。図７（ａ）中の破線は比較のために表示部１６固有の階調特性を示し、図３中の曲線Ｃに等しい。また、図７中の一点鎖線はガンマ値γ＝２．２の直線を示す。
【００５７】
個々の表示装置１のＬＵＴ１４で、ムラ補正部１３から出力された色成分毎の階調値ｘが式２により補正された場合、図７（ａ）のグラフ図に示すように、ガンマ値の分布における非線形部が解消され、略線形に変換される。しかしながら、第１補正値αを用いた補正では、図７（ａ）のグラフ図に示すように全階調に亘りガンマ値γ＝２．２とはならない。
【００５８】
そこで、本実施の形態では更に、第１補正値αを用いた補正後の入力階調値に対するガンマ値の分布を一次関数として扱い、傾き及び切片を特定する。このためまず、第１補正値αを用いた補正後のガンマ値の一次関数分布に対し、二つの入力階調値における出力輝度を測定し、夫々の表示装置１の表示部１６における固有のガンマ値を算出することによって取得する。図７（ａ）中のｘ印は、二つの入力階調値に対する固有のガンマ値を示している。これにより、図７（ａ）のグラフ図に示す一次関数の傾き及び切片を特定することができる。そして、特定された傾き及び切片から、ガンマ値の一次関数分布をガンマ値γ＝一定分布とするための第２補正値を算出し、第２補正値を加味して補正される階調値を入力階調値に対応付けてＬＵＴ１４に記憶させておく。第２補正値の算出方法の具体例は後述にて詳細を説明する。
【００５９】
図７（ｂ）のグラフ図は、特定された一次関数に基づき算出される第２補正値を用いた補正を行なった場合のガンマ値の分布である。図７（ｂ）のグラフ図の横軸はＬＵＴ１４に入力される階調値を示し、縦軸は入力される階調値に対するガンマ値を示す。横軸の階調値は、式２による補正前の階調値ｘである。図７（ｂ）中の破線は比較のため、第１補正値αを用いた補正後の入力階調値に対するガンマ値の分布を示し、図７（ａ）中の実線に等しい。また、図７（ｂ）中の一点鎖線はガンマ値γ＝２．２の直線を示す。
【００６０】
図７（ｂ）のグラフ図に示すように、第１補正値α及び第２補正値を用いた補正により、入力される階調値に対してガンマ値が、全階調値に亘ってほぼ一定の値となる。この補正により、表示部１６個々の階調特性を吸収し、ムラ補正部１２から出力される画像信号の色成分毎の階調値により、表示部１６で滑らかな階調表現を実現することができる。
【００６１】
図７（ａ）のグラフ図に示した一次関数の傾き及び切片を特定して階調値を補正するための第２補正値の算出方法の具体例について以下に詳細を説明する。
【００６２】
まず、第１補正値αを用いた補正を行なった後の一の入力階調値、例えばｘ＝６４を含む画像信号を入力し、当該入力階調値に対応する出力輝度を測定する。そして、出力輝度からｘ＝６４に対するガンマ値γ64を取得しておく。ＬＵＴ１４に入力される画像信号に含まれる入力階調値がｘ＝６４の場合のガンマ値がγ64＝２．３である場合、全階調値に亘り、ガンマ値γ64＝２．３を目標ガンマ値であるγtarget＝２．２とする変換を行なう。即ち、式２で補正する階調値ｘ´を以下に示す式３により変換しておく。
【００６３】
補正後の階調値ｘ´´＝ｘ´β、変換値β＝（γref 64／γ64）・・・（３）
【００６４】
なお、式３は以下に示す式４に変換される。
【００６５】
補正後の階調値ｘ´´＝ｘδ＝（ｘα）β＝ｘα＊β、δ＝（γtarget／γref x）＊（γref 64／γ64）、γref 64＝基準の階調特性における階調値ｘ＝６４でのガンマ値、γ64＝ｘ＝６４の場合に取得される固有のガンマ値・・・（４）
【００６６】
補正後の階調値ｘ´´を含む画像信号を表示部１６に入力することにより、階調値ｘ＝６４に対するガンマ値はγ＝２．２となる。表示部１６に入力される階調値ｘ´´＝６４の表示部１６の固有のガンマ値γ64＝２．３である場合、出力される輝度はｘ´´2.3＝（ｘδ）2.3＝ｘδ＊2.3となる。ここでｘの指数δ＊２．３＝｛（２．２）／（２．３）＊（２．３）／２．３｝＝２．２となる（γ＝２．２）。
【００６７】
式４の補正により図７（ａ）のグラフ図中の実線で示した一次関数は、図７（ａ）のグラフ図中の二点鎖線で示すように平行移動し、階調値がｘ＝６４、ガンマ値がγ＝２．２である点を通る一次関数となる。これにより、切片を求めずに傾きを算出することが可能となる。この場合一次関数の傾きをａとすると、一次関数は以下の式５により表わされる。
【００６８】
（γ−２．２）＝ａ（ｘ−６４）・・・（５）
【００６９】
図７（ａ）に示すような線形の階調特性を理想的な階調特性、即ちガンマ値を一定とする補正には、ガンマ値に加算することによって式５＝ゼロが成り立つ、以下の式６により表わされる補正式ｆ（ｘ）が必要となる。
【００７０】
ｆ（ｘ）＝−ａ（ｘ−６４）・・・（６）
【００７１】
そして傾きａを特定するためには、他の一の階調値におけるガンマ値が必要である。ここでは例としてｘ＝１９２におけるガンマ値を取得する。これにより、傾きａは、次の式７により算出できる。
【００７２】
ａ＝（γ192−γ64）／（１９２−６４）、γ192＝（ｘ＝１９２の場合に取得される固有のガンマ値）、γ64＝（ｘ＝６４の場合に取得される固有のガンマ値）・・・（７）
【００７３】
式４、６及び７を総合して、各表示装置１でＬＵＴ１４に入力される階調値に対し、表示部１６での階調特性を表わすガンマ値がγ＝２．２で一定となるようにするためには、次の式８により補正を行なう。
【００７４】
補正後の階調値ｘ´´´＝ｘε、ε＝（γtarget／γref x）＊（γref 64／γ64）＋ｆ（ｘ）＝［（γtarget／γref x）＊（γref 64／γ64）−｛（γ192−γ64）／（１９２−６４）｝＊（ｘ−６４）］＝・・・（８）
【００７５】
補正後の階調値ｘ´´´を階調値ｘに対応付けてＬＵＴ１４に記憶しておく。ＬＵＴ１４は、ムラ補正部１３から出力される画像信号に含まれる色成分毎の階調値ｘに対応付けて記憶されている補正後の階調値ｘ´´´を出力する。これにより、ＬＵＴ１４によって上述の式８におけるεを第２補正値として用いた補正が行なわれるように構成される。
【００７６】
なお、ＬＵＴ１４には、第１補正値α＝（γtarget／γref x）＝（目標ガンマ値／基準の階調特性における階調値ｘでのガンマ値）を用いて得られる補正後の階調値が、入力階調値ｘに対応付けられて記憶されている。二つ目のＬＵＴを備える構成とし、当該二つ目のＬＵＴ１４には、第２補正値としてζ１＝（γref 64／γ64）、ζ２＝傾きａ及びζ３＝６４を用いた補正後の階調値を、入力階調値に対応付けて記憶しておくようにしてもよい。なお、この場合の第１補正値α及び第２補正値ζ１、ζ２、ζ３を用い、式８のεは、以下の式９のように変形できる。
【００７７】
ε＝｛α＊ζ１−ζ２（ｘ−ζ３）｝・・・（９）
【００７８】
このように補正される階調値ｘ´´´を表示部１６に入力することにより、各表示装置１でＬＵＴ１４に入力される階調値に対し、図７（ｂ）のグラフ図中の実線に示したように、全階調値に亘ってガンマ値γ＝２．２と一定になる階調特性とすることができる。
【００７９】
なお、上述の説明では二つの階調値としてｘ＝６４、ｘ＝１９２を例に挙げたが、これ以外の階調値でもよいことは勿論である。また、傾きを算出する場合に、基準の階調特性の内の一部の階調値範囲において傾きがゼロであるとき、当該階調値範囲内の階調値を用いてもよい。これにより、より簡易に各表示装置１の表示部１６における線形部の傾きａを算出することが可能である。
【００８０】
次に、上述の処理をフローチャートを参照して説明する。なお、図８のフローチャートに示す処理は、製造工程で第１補正値及び第２補正値をＬＵＴ１４に記憶するために接続される補正用の装置によって予め行なわれる構成とする。ここで補正用の装置とは例えば、製造ラインに設備された調整用のパソコンである。
そして、各表示装置１が画像信号出力装置２から画像信号を受け付けて表示部１６に入力するに際し、表示部１６の前段のＬＵＴ１４により、受け付けた画像信号に含まれる色成分毎の階調値が、第１補正値及び第２補正値を用いて補正される。
【００８１】
図８は、本実施の形態において第１補正値が算出される処理手順の一例を示すフローチャートである。補正用の装置は、基準となる階調特性を一の表示装置１で実際に測定するか又は複数の表示装置１における測定結果に基づき中央値をとる等により算出する（ステップＳ１１）。そして、基準の階調特性が所定の階調特性、即ちガンマ値γ＝２．２で一定となる階調特性となるように第１補正値を算出する（ステップＳ１２）。そして補正用の装置は算出した第１補正値を用いた補正後の階調値を補正用の装置自身の記憶領域に記憶しておき（ステップＳ１３）、処理を終了する。
【００８２】
図９は、本実施の形態において第２補正値が算出される処理手順の一例を示すフローチャートである。図９のフローチャートに示す処理は、各表示装置１に対して行なう構成とする。なお、ここでいう各表示装置１は、図８のフローチャートで基準となる階調特性の測定の対象となった表示装置１とは異なる補正対象の表示装置１である。これらの補正対象の各表示装置１では、テストパターンを全階調値に亘って順次入力させて図９のフローチャートに示す処理が行なわれる。
【００８３】
表示装置１のＬＵＴ１４には、入力される階調値に対応づけて、補正用の装置が記憶している第１補正値を用いて算出される補正後の出力階調値が記憶される（ステップＳ２１）。表示装置１では、ＬＵＴ１４に入力される画像信号に含まれる各階調値がＬＵＴ１４によって補正され、ＬＵＴ１４は補正後の階調値を含む画像信号が表示部１６に入力する（ステップＳ２２）。表示装置１は、表示部１６における一の階調値に対する出力輝度から、ガンマ値を算出して取得する（ステップＳ２３）。なお、ここで表示部１６における出力輝度の測定は、製造工程で接続される測定装置により行なわれ、表示装置１は測定装置から出力輝度又はガンマ値を取得するようにする。そして表示装置１は、取得したガンマ値に基づき、前述の式４により得られる補正後の階調値をＬＵＴ１４に記憶し、前記一の階調値におけるガンマ値が所定のガンマ値γ＝２．２と補正されるようにする（ステップＳ２４）。
【００８４】
次に表示装置１は、ステップＳ２４の補正後の他の一の階調値に対する出力輝度から、ガンマ値を算出して取得する（ステップＳ２５）。表示装置１はステップＳ２３及びステップＳ２５で取得した二つの階調値に対するガンマ値から、階調値に対するガンマ値の分布の一次関数の傾き及び切片を算出し（ステップＳ２６）、算出した傾きから第２補正値を算出し（ステップＳ２７）、ＬＵＴ１４に記憶されている第１補正値を用いた補正後の階調値を、第２補正値を用いた補正後の階調値に書き換え（ステップＳ２８）、第２補正値の算出及び記憶処理を終了する。
【００８５】
なお、図９のフローチャートに示した処理手順ではステップＳ２４の処理により、一の階調値においてガンマ値γ＝２．２を通るように一次関数を補正した。したがって、図９のフローチャートに示した処理手順の内のステップＳ２６で算出する傾き及び切片の内の切片についてはガンマ値γ＝２．２を用い、傾きを算出するのみでよい。これにより演算を簡易にすることができるが、ステップＳ２３による処理を省き、二つの入力階調値におけるガンマ値から傾き及び切片を算出する構成でもよいのは勿論である。
【００８６】
上述に示した処理手順によって算出された第２補正値を用いた補正後の階調値が、入力階調値に対応付けられてＬＵＴ１４に書き込まれる。以後ＬＵＴ１４により、ムラ補正部１３から出力される画像信号に含まれる色成分毎の階調値に対し、第２補正値を用いて式８により補正された階調値が出力され、出力部１５を介して表示部１６へ入力される。
【００８７】
本実施の形態で示した補正方法を利用する場合、第２補正値を算出するために測定する情報は、以下のような情報で済む。例えば、表示部１６でのＲ、Ｇ、Ｂ、Ｗ各色の最大輝度及び色度、そして最低限の二つの入力階調値に対する輝度（補正前のｘ＝６４における階調値、ｘ＝６４における階調値でγ＝２．２となるように補正した後のｘ＝１９２における階調値）でよい。このように予め測定する情報量を削減し、そして簡易な構成で補正が可能な構成とすることにより、迅速にガンマ補正の補正を行なうことができると共に、図７（ｂ）に示すように個々の表示部１６における階調特性を高精度に一定とする補正が可能である。
【００８８】
本実施の形態では、基準の階調特性から算出した第１補正値によって補正した場合に残る入力される階調値に対するガンマ値の分布を一次関数として扱い、二つの階調値に対するガンマ値を測定により取得し、一次関数を特定するための傾き及び切片を求める構成とした。しかしながら、本発明はこれに限らず、線形部として扱ったガンマ値の分布を所定の高次関数として扱い、これを特定するためのいくつかの階調値に対するガンマ値を測定により取得する構成としてもよい。
【００８９】
本実施の形態では、ＬＵＴ１４に、階調値毎に対応付けて記憶されている第１補正値を用いた補正後の階調値を、第２補正値を用いた補正後の階調値に書き換える構成とした。しかしながら、第１補正値及び第２補正値を用いて補正する階調値を個別に記憶する二つのＬＵＴを備える構成としてもよい。
【００９０】
また、本実施の形態では複数の色成分の階調値に対する補正を例にあげたが、モノクロの画像信号における階調値に対する補正に適用してもよい。
【００９１】
なお、上述の図８及び図９のフローチャートに示した処理手順の説明では、各表示装置１の製造工程で、補正用の装置が基準となる階調特性を測定し、第１補正値を算出して入力階調値と補正後の階調値の対応を記憶しておき、補正対象となる各表示装置１により、第１補正値を用いた入力階調値と補正後の階調値との対応を記憶させて第２補正値を算出させる構成とした。図９のフローチャートに示した処理手順は、製造工程のみならず表示装置１としての運用中にも実施可能である。つまり、基準となる階調特性から算出された第１補正値はＬＵＴ１４ではなく、別途書き換え不可能な記憶領域に記憶しておき、表示装置１自身がＬＵＴ１４に第１補正値を用いた補正後の階調値を記憶し直してから以降の処理（ステップＳ２２からステップＳ２８までの処理）を行ない、第２補正値を算出し直す。このとき、ステップＳ２５の表示部１６における出力輝度の測定は、ユーザが測定装置を用いて測定し表示装置１へ入力することが可能な構成としておけばよい。
【００９２】
このように、表示装置１自身が製造工程のみならず使用年数により経年劣化で変化した階調特性の補正を行なうことができる点、優れた効果を奏する。また、表示装置１が使用年数を計時しておき、使用年数が所定の期間を経過した時点で表示装置１が自律的に階調特性の補正、即ち第２補正値の算出し直しを行なう構成としてもよい。
【００９３】
また、本実施の形態では変換部１２、ムラ補正部１３及びＬＵＴ１４は夫々、処理の高速化が要求されていることから、表示装置に備えられるＡＳＩＣ、ＦＰＧＡを構成する各モジュールによって実現する構成とした。しかしながら本発明に係る補正方法を実施するコンピュータプログラムをコンピュータ装置に実行させることにより、コンピュータ装置が接続しているモニタで表示する画像のガンマ補正を、コンピュータ装置側で行なう構成としてもよい。図１０は、本発明に係る補正方法をコンピュータ装置で実施する場合の構成を示すブロック図である。この場合、コンピュータ装置３は、ＣＰＵ、ＭＰＵ等の制御部３０と、ハードディスク（Hard Disk）、ＥＥＰＲＯＭ（Electronically Erasable and Programmable Read Only Memory）等の記憶部３１と、補正後の画像信号をモニタ４へ出力する出力部３２とを備える。
【００９４】
記憶部３１には、コンピュータ装置３に入力部３２を介して受け付けた画像信号に対して本発明に係る補正方法を実施させるための制御プログラム３Ｐが記憶されている。制御プログラム３Ｐには、制御部３０を上述の表示装置１における変換部１２、ムラ補正部１３及びＬＵＴ１４として機能させるためのモジュールである変換部３３、ムラ補正部３４及びガンマ補正部３５が含まれている。また、記憶部３１に記憶される制御プログラム３Ｐは、図示しないＤＶＤ、ＣＤ−ＲＯＭ等の可搬型記録媒体に記録されており、制御部３０はＤＶＤ／ＣＤドライブ等の補助記憶部（図示せず）を介して可搬型記録媒体に記録されていた制御プログラム３Ｐを記憶部３１へ記憶するようにしてもよい。
【００９５】
このような構成のコンピュータ装置３の制御部３０は、記憶部３１から制御プログラム３Ｐを読み出して実行し、制御プログラム３Ｐに含まれるガンマ補正部３５の機能により、画像信号出力装置２から入力部３２を介して受け付けた画像信号が表わす各色成分の階調値を変換部３３の機能により変換し、ムラ補正部３４の機能によって輝度ムラ、色ムラを補正する。そして制御部３０は更にガンマ補正部３５の機能により、接続されているモニタ４における階調特性を滑らかにするためのガンマ補正を行なうことができる。
【図面の簡単な説明】
【００９６】
【図１】本発明に係る表示装置の構成を示すブロック図である。
【図２】ガンマ補正の概要を示す説明図である。
【図３】個々の表示装置が備える表示部によって異なる階調特性の例を示すグラフ図である。
【図４】表示部の駆動回路を構成するデジタル／アナログ（Ｄ／Ａ）変換器に入力される階調値と出力される電圧値との対応例を示す説明図である。
【図５】Ｄ／Ａ変換器に入力される階調値と出力される電圧値との対応関係の例を示したグラフ図である。
【図６】基準の階調特性が補正される例を示すグラフ図である。
【図７】ＬＵＴにより補正を行なった場合の個々の表示装置の表示部における階調特性の例を示すグラフ図である。
【図８】本実施の形態において第１補正値が算出される処理手順の一例を示すフローチャートである。
【図９】本実施の形態において第２補正値が算出される処理手順の一例を示すフローチャートである。
【図１０】本発明に係る補正方法をコンピュータ装置で実施する場合の構成を示すブロック図である。
【符号の説明】
【００９７】
１  表示装置
１４  ＬＵＴ（補正手段）
１６  表示部（表示手段）
２  画像信号出力装置
３０  制御部
３４  ガンマ補正部（補正手段）
３Ｐ  制御プログラム
【図１】
2009145780.tif 000003
【図２】
2009145780.tif 000004
【図３】
2009145780.tif 000005
【図４】
2009145780.tif 000006
【図５】
2009145780.tif 000007
【図６】
2009145780.tif 000008
【図７】
2009145780.tif 000009
【図８】
2009145780.tif 000010
【図９】
2009145780.tif 000011
【図１０】
2009145780.tif 000012